【事件の表示】
　特許第５５０７７３２号に関する訂正審判事件について、次のとおり審決する。
【結　論】
　特許第５５０７７３２号に係る明細書及び特許請求の範囲を、本件審判請求書に添付された訂正明細書及び特許請求の範囲のとおり、訂正後の請求項１〜８について訂正することを認める。
【理　由】
第１　手続の経緯
　本件審判請求に係る特許５５０７７３２号（以下、「本件特許」という。）は、平成２３年８月１９日に出願された特願２０１１−１７９９９０号の一部が平成２５年４月１８日に新たに出願（特願２０１３−８７３０１号）され、平成２６年３月２８日に特許権の設定登録がなされ、その後、平成２８年１２月２日に本件訂正審判請求がなされたものである。
第２　審判請求の趣旨
　本件審判請求の趣旨は、本件特許の明細書（以下、「本件特許明細書」という。）及び特許請求の範囲を、本件審判請求書に添付された訂正明細書及び特許請求の範囲のとおり、訂正後の請求項１〜８について訂正することを認める、との審決を求めるものである。
第３　訂正の内容
　１　訂正事項１
　本件特許請求の範囲の請求項１における
　「前記第二の表示態様は、前記操作手段の操作を促す表示態様を少なくとも含まない表示態様であり、」という記載を、
　「前記第二の表示態様は、前記操作手段の操作を促す表示態様を少なくとも含まない表示態様であり、
前記第二の表示態様は、先読み予告の表示態様であり、
　２　訂正事項２ 
　本件特許請求の範囲の請求項２における
　「前記第二の表示態様の前記アイコンは、前記ボタン保留のアイコンとは異なるアイコンであり、」という記載を、
　「前記第二の表示態様の前記アイコンは、前記ボタン保留のアイコンとは異なるアイコンであり、
前記第二の表示態様は、先読み予告の表示態様であり、
　３　訂正事項３
　本件特許請求の範囲の請求項５における
　「前記第一の表示態様は、先読み予告の表示態様であり、前記第二の表示態様は、前記先読み予告の表示態様である、」という記載を、
　「前記第一の表示態様は、先読み予告の表示態様で
ある
　４　訂正事項４
　本件特許請求の範囲の請求項６における
　「前記複数種類の表示態様のうちの少なくとも一の表示態様は、第三の表示態様であり、」という記載を、
　「前記複数種類の表示態様のうちの少なくとも一の表示態様は、第三の表示態様であり、
前記第三の表示態様は、前記第一の表示態様及び前記第二の表示態様の両方の表示態様と異なる表示態様であり、
　５　訂正事項５
　本件特許請求の範囲の請求項６における
　「前記第三の表示態様は、通常の表示態様である、」という記載を、
　「前記第三の表示態様は、
デフォルト
　６　訂正事項６
　本件特許明細書の段落【０００９】における
　「前記第二の表示態様は、前記操作手段の操作を促す表示態様を少なくとも含まない表示態様であり、」という記載を、
　「前記第二の表示態様は、前記操作手段の操作を促す表示態様を少なくとも含まない表示態様であり、
前記第二の表示態様は、先読み予告の表示態様であり、
　７　訂正事項７
　本件特許明細書の段落【００１０】における
　「前記第二の表示態様の前記アイコンは、前記ボタン保留のアイコンとは異なるアイコンであり、」という記載を、
　「前記第二の表示態様の前記アイコンは、前記ボタン保留のアイコンとは異なるアイコンであり、
前記第二の表示態様は、先読み予告の表示態様であり、
第４　当審の判断
　１　訂正事項１
　（１）訂正の目的の適否について
　訂正事項１に係る訂正は、「第二の表示態様」について、訂正前の請求項１では「前記第二の表示態様は、前記操作手段の操作を促す表示態様を少なくとも含まない表示態様であり」とされていたのみであったものを、「
前記第二の表示態様は、先読み予告の表示態様であり
　したがって、訂正事項１に係る訂正は、特許法第１２６条第１項ただし書第１号に掲げる、特許請求の範囲の減縮を目的とするものに該当する。
　（２）新規事項の有無について
　第二の表示態様が「先読み予告の表示態様」であることについては、訂正前の請求項１を引用する請求項５に記載されていた事項であり、また、本件特許明細書には「商人のキャラクタを用いた表示態様（第二の表示態様）へと表示態様が変化する先読み予告演出態様が、「ボタン→Ａ」として示される」（段落【０２２６】）、「先読み予告演出における特定のキャラクタを用いた表示態様は、第二の表示態様あるいは第二の予告態様の一例に相当する」（段落【０２２９】）と記載されており、第二の表示態様が「先読み予告の表示態様」であることが記載されている。
　そして、訂正事項１に係る訂正は、上記したとおり本件特許の明細書、特許請求の範囲及び図面（以下、「本件特許明細書等」という。）の記載に基づくものであって、本件特許明細書等のすべてを総合することにより導かれる技術的事項との関係において新たな技術的事項を導入するものではなく、本件特許明細書等に記載した事項の範囲内のものである。
　したがって、訂正事項１に係る訂正は、特許法第１２６条第５項の規定に適合する。
　（３）特許請求の範囲の拡張又は変更の有無について
　訂正事項１に係る訂正は、上記（１）において検討したように、特許請求の範囲の減縮を目的とするものであって、訂正の前後で特許請求の範囲に記載された発明の拡張又は変更はなく、実質上特許請求の範囲を拡張し又は変更するものではないから、特許法第１２６条第６項の規定に適合する。
　（４）小括
　以上検討したように、訂正事項１に係る訂正は、特許法第１２６条第１項ただし書第１号に掲げる事項を目的とし、かつ、同条第５、６項の規定に適合する。
　２　訂正事項２
　（１）訂正の目的の適否について
　訂正事項２に係る訂正は、「第二の表示態様」について、訂正前の請求項２では「前記第二の表示態様の前記アイコンは、前記ボタン保留のアイコンとは異なるアイコンであり」とされていたのみであったものを、「
前記第二の表示態様は、先読み予告の表示態様であり
　したがって、訂正事項２に係る訂正は、特許法第１２６条第１項ただし書第１号に掲げる、特許請求の範囲の減縮を目的とするものに該当する。
　（２）新規事項の有無について
　第二の表示態様が「先読み予告の表示態様」であることについては、訂正前の請求項２を引用する請求項５に記載されていた事項であり、また、本件特許明細書には「商人のキャラクタを用いた表示態様（第二の表示態様）へと表示態様が変化する先読み予告演出態様が、「ボタン→Ａ」として示される」（段落【０２２６】）、「先読み予告演出における特定のキャラクタを用いた表示態様は、第二の表示態様あるいは第二の予告態様の一例に相当する」（段落【０２２９】）と記載されており、第二の表示態様が「先読み予告の表示態様」であることが記載されている。
　そして、訂正事項２に係る訂正は、上記したとおり本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　したがって、訂正事項２に係る訂正は、特許法第１２６条第５項の規定に適合する。
　（３）特許請求の範囲の拡張又は変更の有無について
　訂正事項２に係る訂正は、上記（１）において検討したように、特許請求の範囲の減縮を目的とするものであって、訂正の前後で特許請求の範囲に記載された発明の拡張又は変更はなく、実質上特許請求の範囲を拡張し又は変更するものではないから、特許法第１２６条第６項の規定に適合する。
　（４）小括
　以上検討したように、訂正事項２に係る訂正は、特許法第１２６条第１項ただし書第１号に掲げる事項を目的とし、かつ、同条第５、６項の規定に適合する。
　３　訂正事項３
　（１）訂正の目的の適否について
　訂正事項３に係る訂正は、訂正事項１、２に係る訂正によって請求項１、２に「
前記第二の表示態様は、先読み予告の表示態様であり
　したがって、訂正事項３に係る訂正は、特許法第１２６条第１項ただし書第３号に掲げる、明瞭でない記載の釈明を目的とするものに該当する。
　（２）新規事項の有無について
　訂正事項３に係る訂正は、上記（１）において検討したように、請求項１、２を訂正する訂正事項１、２に係る訂正に伴って、請求項５の記載を訂正するものであり、上記１（２）、２（２）において検討したとおり、訂正事項１、２に係る訂正は、本件特許明細書等の記載に基づくものである。
　そして、訂正事項３に係る訂正は、本件特許明細書等の全ての記載を総合することにより導かれる技術的事項との関係において新たな技術的事項を導入するものではないから、本件特許明細書等に記載した事項の範囲内のものである。
　したがって、訂正事項３に係る訂正は特許法第１２６条第５項の規定に適合する。
　（３）特許請求の範囲の拡張又は変更の有無について
　訂正事項３に係る訂正は、上記（１）において検討したように、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　（４）小括
　以上検討したように、訂正事項３に係る訂正は、特許法第１２６条第１項ただし書第３号に掲げる事項を目的とし、かつ、同条第５、６項の規定に適合する。
　４　訂正事項４
　（１）訂正の目的の適否について
　訂正事項４に係る訂正は、「第三の表示態様」について、訂正前の請求項６では「前記複数種類の表示態様のうちの少なくとも一の表示態様は、第三の表示態様であり」とされていたのみであったものを、「
前記第三の表示態様は、前記第一の表示態様及び前記第二の表示態様の両方の表示態様と異なる表示態様であり
　したがって、訂正事項４に係る訂正は、特許法第１２６条第１項ただし書第１号に掲げる、特許請求の範囲の減縮を目的とするものに該当する。
　（２）新規事項の有無について
　第三の表示態様について、本件特許明細書には「図１４（ｃ）における一番左には、丸い図形を無模様かつ一色で表示するデフォルトの表示態様（第三の表示態様）が、「変化なし」として示されている」（段落【０２２４】）、「図１４（ｃ）における右側には、操作手段の一例に相当するチャンスボタン１３６（図１参照）の操作を促す表示態様（第一の表示態様）からチャンスボタン１３６が操作されると、商人のキャラクタを用いた表示態様（第二の表示態様）へと表示態様が変化する先読み予告演出態様が、「ボタン→Ａ」として示される」（段落【０２２６】）、「前記始動保留表示手段は、前記第一の表示態様とも前記第二の表示態様とも異なる第三の表示態様で前記始動保留表示を表示する」（段落【０３５３】）と記載されており、第三の表示態様が、「第一の表示態様」及び「第二の表示態様」の「両方の表示態様と異なる表示態様」であることが記載されている。
　そして、訂正事項４に係る訂正は、上記したとおり本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　したがって、訂正事項４に係る訂正は、特許法第１２６条第５項の規定に適合する。
　（３）特許請求の範囲の拡張又は変更の有無について
　訂正事項４に係る訂正は、上記（１）において検討したように、特許請求の範囲の減縮を目的とするものであって、訂正の前後で特許請求の範囲に記載された発明の拡張又は変更はなく、実質上特許請求の範囲を拡張し又は変更するものではないから、特許法第１２６条第６項の規定に適合する。
　（４）小括
　以上検討したように、訂正事項４に係る訂正は、特許法第１２６条第１項ただし書第１号に掲げる事項を目的とし、かつ、同条第５、６項の規定に適合する。
　５　訂正事項５
　（１）訂正の目的の適否について
　訂正事項５に係る訂正は、「第三の表示態様」について、訂正前の請求項６では「通常の表示態様である」とされていたものを、「
デフォルト
デフォルト
　したがって、訂正事項５に係る訂正は、特許法第１２６条第１項ただし書第３号に掲げる、明瞭でない記載の釈明を目的とするものに該当する。
　（２）新規事項の有無について
　第三の表示態様について、本件特許明細書には「図１４（ｃ）における一番左には、丸い図形を無模様かつ一色で表示するデフォルトの表示態様（第三の表示態様）が、「変化なし」として示されている。この「変化なし」とは、予告報知を実行しないことを表す」（段落【０２２４】）、「第三の表示態様は、例えば、前記先読み予告演出とは無関係のデフォルトの表示態様であってもよい」（段落【０３５３】）と記載されており、第三の表示態様が、「デフォルトの表示態様」であることが記載されている。
　そして、訂正事項５に係る訂正は、上記したとおり本件特許明細書等の記載に基づくものであって、本件特許明細書等のすべてを総合することにより導かれる技術的事項との関係において新たな技術的事項を導入するものではなく、本件特許明細書等に記載した事項の範囲内のものである。
　したがって、訂正事項５に係る訂正は特許法第１２６条第５項の規定に適合する。
　（３）特許請求の範囲の拡張又は変更の有無について
　訂正事項５に係る訂正は、上記（１）において検討したように、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　（４）小括
　以上検討したように、訂正事項５に係る訂正は、特許法第１２６条第１項ただし書第３号に掲げる事項を目的とし、かつ、同条第５、６項の規定に適合する。
　６　訂正事項６、７
　（１）訂正の目的の適否について
　訂正事項６、７は、訂正事項１、２に係る訂正に伴って、訂正後の請求項１、２の記載と本件特許明細書の記載との整合を図るために、本件特許明細書の段落【０００９】、【００１０】の記載を訂正するものである。
　したがって、訂正事項６、７に係る訂正は、特許法第１２６条第１項ただし書第３号に掲げる、明瞭でない記載の釈明を目的とするものに該当する。
　（２）新規事項の有無について
　訂正事項６、７に係る訂正は、上記（１）において検討したように、請求項１、２を訂正する訂正事項１、２に係る訂正に伴って、本件特許明細書の段落【０００９】、【００１０】の記載を訂正するものであり、上記１（２）、２（２）において検討したとおり、訂正事項１、２に係る訂正は、本件特許明細書等の記載に基づくものである。
　そして、訂正事項６、７に係る訂正は、本件特許明細書等の全ての記載を総合することにより導かれる技術的事項との関係において新たな技術的事項を導入するものではないから、本件特許明細書等に記載した事項の範囲内のものである。
　したがって、訂正事項６、７に係る訂正は、特許法第１２６条第５項の規定に適合する。
　（３）特許請求の範囲の拡張又は変更の有無について
　訂正事項６、７に係る訂正は、上記（１）において検討したように、明瞭でない記載の釈明を目的とするものであって、訂正の前後で特許請求の範囲に記載された発明の拡張又は変更はなく、実質上特許請求の範囲を拡張し、又は変更するものには該当しないから、特許法第１２６条第６項の規定に適合する。
　（４）小括
　以上検討したように、訂正事項６、７に係る訂正は、特許法第１２６条第１項ただし書第３号に掲げる事項を目的とし、かつ、同条第５、６項の規定に適合する。
　７　一群の請求項について
　訂正事項１、２は、請求項１、２を訂正するものである。そして、当該訂正後の請求項１、２の記載を、請求項３〜８が直接的又は間接的に引用しているから、当該訂正後の請求項１〜８は、特許法施行規則第４６条の２第２号に規定する関係を有する一群の請求項である。
　訂正事項３〜５は、請求項５、６を訂正するものである。そして、当該訂正後の請求項５、６は、上記したとおり一群の請求項である訂正後の請求項１〜８に含まれている。
　したがって、本件訂正は、特許法第１２６条第３項の規定に適合する。
　訂正事項６、７は、訂正事項１、２に伴って本件特許明細書の段落【０００９】、【００１０】に記載されている請求項１、２に対応する部分について訂正するものであるから、当該訂正後の請求項１、２の記載を直接的又は間接的に引用する請求項３〜８を含めた一群の請求項１〜８の全てに関係する。
　したがって、本件訂正は、特許法第１２６条第４項の規定に適合する。
　８　独立特許要件について
　特許請求の範囲の減縮を目的とする訂正事項１は請求項１に関する訂正であり、特許請求の範囲の減縮を目的とする訂正事項２は請求項２に関する訂正であり、特許請求の範囲の減縮を目的とする訂正事項４は請求項６に関する訂正であり、訂正後の請求項３〜８は訂正後の請求項１又は２を直接的又は間接的に引用している。
　訂正後の請求項１〜８に係る発明が特許出願の際独立して独立して特許を受けることができるか検討すると、訂正後の請求項１〜８に係る発明が特許出願の際独立して特許を受けることができない理由を発見することはできない。
　したがって、訂正事項１、２、４は、特許法第１２６条第７項の規定に適合する。
第５　むすび
　以上のとおりであるから、本件訂正の目的は、訂正事項１、２、４に係る訂正については特許法第１２６条第１項ただし書第１号に掲げる事項であり、訂正事項３、５〜７に係る訂正については同条第１項ただし書第３号に掲げる事項であり、かつ、本件訂正は、同条第３〜７項の規定に適合する。
　よって、結論のとおり審決する。